(57)【要約】【課題】変形及び振動を防止できる冷却庫を提供する【解決手段】天面部３ａ及び側面部３ｂ、３ｃを有する外箱３と、背面を覆う背面板５と、樹脂成形品から成るとともに背面側の上部に上方及び側方を開口する凹部４ａを有した内箱４と、凹部４ａ内に配されて機械室１０を形成する機械室ボックス７と、内箱４と外箱３との間に充填される断熱材６とから成る断熱箱体２を備えた冷却庫１において、側面部３ｂに沿って外箱３に支持されるＬ字型のアングル３０と、アングル３０の下部に一端が支持されて他端が側面部３ｃに支持される背面補強板３３と、側面部３ｂと平行に配されてアングル３０の上部に一端が支持される側面補強板３４と、側面補強板３４の他端と背面補強板３３の中間との間を連結して凹部４ａの底面と平行に配される底面補強板３２とを設け、冷却装置２９が配される機械室ボックス７を底面補強板３２上に載置した。【選択図】図３
2008185277.tif 000002
【特許請求の範囲】
【請求項１】
天面部及び側面部を有する外箱と、背面を覆う背面板と、樹脂成形品から成るとともに背面側の上部に上方及び側方を開口する凹部を有した内箱と、前記凹部内に配されて機械室を形成する機械室ボックスと、前記内箱と前記外箱との間及び前記内箱と前記背面板との間に充填される断熱材とから成る断熱箱体を備えた冷却庫において、
一方の前記側面部に沿って前記外箱に支持される側面視Ｌ字型のアングルと、前記アングルの下部または一方の前記側面部に一端が支持されて他端が他方の前記側面部に支持される背面補強板と、前記アングルが配された側の前記側面部と平行で前記アングルの上部に一端が支持される側面補強板と、前記側面補強板の他端と前記背面補強板の中間との間を連結して前記凹部の底面と平行に配される底面補強板とを設け、前記機械室ボックスを前記底面補強板上に載置するとともに前記機械室内に冷却装置を設置したことを特徴とする冷却庫。
【請求項２】
前記底面補強板を前記機械室の重心の真下に配置したことを特徴とする請求項１に記載の冷却庫。
【請求項３】
前記側面補強板を下方が前方になるように斜めに配置したことを特徴とする請求項１または請求項２に記載の冷却庫。
【請求項４】
前記側面部の端部をＳ字状に折曲して背面側に開口する溝部を形成し、前記アングルの背面側を前記溝部に挟むとともに天面側を前記溝部の上面に載置したことを特徴とする請求項１〜請求項３のいずれかに記載の冷却庫。
【請求項５】
前記アングルを前記側面部及び前記天面部によって支持したことを特徴とする請求項１〜請求項４のいずれかに記載の冷却庫。
【請求項６】
前記冷却装置がスターリング冷凍機を有し、前記機械室内に前記スターリング冷凍機を設置したことを特徴とする請求項１〜請求項５のいずれかに記載の冷却庫。
【請求項７】
前記冷却装置が圧縮機を有し、前記機械室内に前記圧縮機を設置したことを特徴とする請求項１〜請求項５のいずれかに記載の冷却庫。
【発明の詳細な説明】
【技術分野】
【０００１】
本発明は、断熱箱体を有する冷蔵庫や冷凍庫等の冷却庫に関する。
【背景技術】
【０００２】
断熱箱体を有する従来の冷蔵庫は特許文献１に開示されている。この冷蔵庫の断熱箱体は外箱、背面板及び内箱を有している。外箱は断熱箱体の天面及び側面を覆い、背面板は断熱箱体の背面を覆う。内箱は樹脂成形品から成り、外箱及び背面板と隙間を有して配されて該隙間に断熱材が充填される。断熱箱体の背面側上部には冷却装置を設置する機械室が設けられる。機械室は内箱に設けた凹部上に機械室ボックスを配置して形成される。
【０００３】
図７は断熱箱体の背面側上部に設けた機械室内にスターリング冷凍機を配置した従来の冷蔵庫を示している。冷蔵庫１の断熱箱体２は外箱３、内箱４及び背面板５を有している。内箱４の背面側には上方及び後方を開放された凹部４ａが形成され、凹部４ａの上方に機械室ボックス７が配置される。外箱３と内箱４との隙間、背面板５と内箱４との隙間及び機械室ボックス７と内箱４との隙間に断熱材６が充填されている。これにより、機械室１０が形成され、機械室１０の天面及び背面は機械室カバー８により覆われる。
【０００４】
機械室１０内には冷却装置２９が配される。冷却装置２９はスターリング冷凍機２０、高温側凝縮器２１及び低温側蒸発器（不図示）を有している。スターリング冷凍機２０は低温ヘッド２０ｂが高温ヘッド２０ａの下方に配されるように機械室１０内に立設される。高温ヘッド２０ａの熱が高温側凝縮器２１に伝えられて放熱され、低温ヘッド２０ｂの冷熱が低温側蒸発器に伝えられて冷気が生成される。
【０００５】
図８は断熱箱体２の分解斜視図を示している。外箱３は金属板をコ字型に折曲して天面部３ａ及び両側面部３ｂ、３ｃを有している。天面部３ａには内箱４の凹部４ａに対向して開口部３ｄが形成されている。背面板５は周部が外箱３に固定され、内箱４の凹部４ａに対向して開口部５ａが形成されている。
【０００６】
機械室ボックス７は上方及び後方を開口した樹脂成形品から成っている。機械室ボックス７の上端の周縁を天面部３ａの開口部３ｄの周囲に掛けた状態で断熱箱体２内に断熱材６が充填される。これにより、機械室ボックス７は天面部３ａに支持されるとともに断熱材６を介して内箱４により支持される。
【０００７】
【特許文献１】特開２００６−３０８２７２号公報（第５頁−第１２頁、第３図）
【発明の開示】
【発明が解決しようとする課題】
【０００８】
しかしながら、上記従来の冷蔵庫１によると、冷却装置２９は重量が大きいため内箱４上の断熱材６及び天面部３ａに大きな荷重（例えば、約１３ｋｇ）が加わる。天面部３ａは厚み方向に荷重が加わるため剛性が小さく、断熱材６は発泡樹脂から成るため剛性が小さい。これにより、天面部３ａ及び断熱材６が機械室１０の重量によって変形する問題があった。
【０００９】
また、断熱材６の発泡時に温度上昇するため機械室ボックス７が膨張収縮し、機械室ボックス７と断熱材６との間に隙間が生じる場合がある。このため、冷却装置２９の振動が伝わって機械ボックス７が振動し、冷蔵庫１の庫内が扉を開いた際に不快な振動及び騒音を感じる問題があった。また、冷蔵庫１だけでなく冷却装置２９を有する冷凍庫等の冷却庫に同様の問題が生じる。
【００１０】
本発明は、変形及び振動を防止できる冷却庫を提供することを目的とする。
【課題を解決するための手段】
【００１１】
上記目的を達成するために本発明は、天面部及び側面部を有する外箱と、背面を覆う背面板と、樹脂成形品から成るとともに背面側の上部に上方及び側方を開口する凹部を有した内箱と、前記凹部内に配されて機械室を形成する機械室ボックスと、前記内箱と前記外箱との間及び前記内箱と前記背面板との間に充填される断熱材とから成る断熱箱体を備えた冷却庫において、
一方の前記側面部に沿って前記外箱に支持される側面視Ｌ字型のアングルと、前記アングルの下部または一方の前記側面部に一端が支持されて他端が他方の前記側面部に支持される背面補強板と、前記アングルが配された側の前記側面部と平行で前記アングルの上部に一端が支持される側面補強板と、前記側面補強板の他端と前記背面補強板の中間との間を連結して前記凹部の底面と平行に配される底面補強板とを設け、前記機械室ボックスを前記底面補強板上に載置するとともに前記機械室内に冷却装置を設置したことを特徴としている。
【００１２】
この構成によると、冷却庫の断熱箱体は外箱、背面板及び内箱を有している。外箱は断熱箱体の天面及び側面を覆い、背面板は断熱箱体の背面を覆う。内箱は樹脂成形品から成り、外箱及び背面板と隙間を有して配されて該隙間に断熱材が充填される。断熱箱体の背面側上部には冷却装置を設置する機械室が設けられる。機械室は機械室ボックスを内箱に設けた凹部上に配置して形成される。機械室ボックスは凹部の底面に沿って配される底面補強板上に載置される。底面補強板は両側面部間に橋架される背面補強板と、一方の側面部に沿って配される側面補強板とを連結する。側面補強板は一方の側面部に沿って外箱に支持される側面視Ｌ字型のアングルに支持される。これにより、側面部の厚み方向に垂直な方向に機械室の荷重が加わる。アングルは外箱の側面部で支持してもよく、天面部で支持してもよい。
【００１３】
また本発明は、上記構成の冷却庫において、前記底面補強板を含む前記機械室の重心の真下に配置したことを特徴としている。
【００１４】
また本発明は、上記構成の冷却庫において、前記側面補強板を下方が前方になるように斜めに配置したことを特徴としている。
【００１５】
また本発明は、上記構成の冷却庫において、前記側面部の端部をＳ字状に折曲して背面側に開口する溝部を形成し、前記アングルの背面側を前記溝部に挟むとともに天面側を前記溝部の上面に載置したことを特徴としている。この構成によると、側面部の端部は少なくとも３重に折り曲げられて後方に開口する溝部が形成される。折曲により側面部の厚み方向に拡幅された溝部上にアングルの天面側が載置される。
【００１６】
また本発明は、上記構成の冷却庫において、前記アングルを前記側面部及び前記天面部によって支持したことを特徴としている。
【００１７】
また本発明は、上記構成の冷却庫において、前記冷却装置がスターリング冷凍機を有し、前記機械室内に前記スターリング冷凍機を設置したことを特徴としている。
【００１８】
また本発明は、上記構成の冷却庫において、前記冷却装置が圧縮機を有し、前記機械室内に前記圧縮機を設置したことを特徴としている。
【発明の効果】
【００１９】
本発明によると、アングルが側面部に沿って外箱に支持されるとともに、背面補強板がアングルと側面部または両側面部に支持され、側面補強板がアングルに支持される。また、底面補強板が側面補強板及び背面補強板に支持され、底面補強板上に機械室ボックスが載置される。アングルは側面部に沿うため、アングルを側面部に固定すると荷重が側面部の鉛直方向に加わる。また、アングルは天面部に固定した場合でも側面部に接近しているため、側面部の略鉛直方向に荷重が加わる。側面部の厚み方向に垂直な鉛直方向は剛性が大きいため、断熱箱体の変形が防止される。また、機械室ボックスの底面が剛性の高い底面補強板で支持されるため、機械室ボックスの変形を防止できる。加えて、冷却装置の振動を機械室ボックス７で騒音に変換させることなく、アングル、側面補強板、背面補強板及び底面補強板から成る重くて剛直な箱体の骨格に速やかに逃がすことができる。従って、冷却装置の振動を伝播させずに不快な騒音を防止できる。
【００２０】
また本発明によると、底面補強板を機械室の重心の真下に配置したので、底面補強板によって機械室を確実に支持してより確実に変形を防止することができる。
【００２１】
また本発明によると、側面補強板を下方が前方になるように斜めに配置したので、前後方向の強度を向上させることができる。
【００２２】
また本発明によると、側面部の端部をＳ字状に折曲した溝部にアングルの背面側を挟み、天面側を溝部の上面に載置したので、簡単に機械室の重量を側面部の厚み方向に垂直な方向に加えることができる。
【００２３】
また本発明によると、アングルを側面部及び天面部によって支持したので、アングルを容易に位置決めすることができる。
【発明を実施するための最良の形態】
【００２４】
以下に本発明の実施形態を図面を参照して説明する。説明の便宜上、前述の図７、図８に示す従来例と同一の部分は同一の符号を付している。図１は一実施形態の冷却庫である冷蔵庫の側面断面図を示している。また、図２は図１のＡ−Ａ断面図を示している。冷蔵庫１は冷蔵室１１及び冷凍室１２が区分けされる断熱箱体２を有し、冷蔵室１１及び冷凍室１２の前面は扉１１ａ、１２ａにより開閉される。
【００２５】
冷蔵室１１及び冷凍室１２の背後には冷気ダクト１６、１７が設けられ、冷気ダクト１７内に送風機１８及び低温側蒸発器１９が配される。低温側蒸発器１９は送風機１８の駆動により冷気ダクト１６、１７を流通する空気と熱交換して冷気を生成し、冷凍室吐出口１２ｂ及び冷蔵室吐出口１１ｂから冷気が吐出される。これにより、冷蔵室１１及び冷凍室１２が冷却される。
【００２６】
断熱箱体２は外箱３、背面板５、底面板９及び内箱４を有している。外箱３は厚みが約０．５ｍｍの金属板を折曲して天面部３ａ及び両側面部３ｂ、３ｃ（いずれも図４参照）が形成され、断熱箱体２の天面及び側面を覆う。背面板５及び底面板９は厚みが約０．５ｍｍの金属板から成り、それぞれ断熱箱体２の背面及び底面を覆う。
【００２７】
内箱４は樹脂成形品から成り、外箱３、背面板５及び底面板９と隙間を有して配されて該隙間に断熱材６が充填される。断熱箱体２の背面側上部には冷却装置２９を設置する機械室１０が設けられる。機械室１０は内箱４に設けた凹部４ａ（図４参照）の上方に機械室ボックス７を配置して形成される。
【００２８】
図３は機械室１０の側面断面図を示している。機械室１０内には冷却装置２９が配される。冷却装置２９はスターリング冷凍機２０、高温側凝縮器２１及び低温側蒸発器１９（図１参照）を有している。スターリング冷凍機２０は低温ヘッド２０ｂが高温ヘッド２０ａの下方に配されるように機械室１０内に立設される。低温ヘッド２０ｂには断熱材２６で覆われた低温側熱交換器２４が取り付けられ、高温ヘッド２０ａには高温側熱交換器２３が取り付けられる。
【００２９】
低温側熱交換器２４は冷媒管２７を介して低温側蒸発器１９に連結され、二次冷媒が流通する低温側循環回路が形成される。高温側熱交換器２３は冷媒管２８を介して高温側凝縮器２１に連結され、二次冷媒が流通する高温側循環回路が形成される。高温側凝縮器２１の上方には高温側凝縮器２１を冷却する冷却ファン２２が設けられる。
【００３０】
スターリング冷凍機２０の駆動によって高温ヘッド２０ａが高温に維持され、低温ヘッド２０ｂが低温に維持される。高温ヘッド２０ａの熱は高温側循環回路を介して高温側凝縮器２１に伝えられ、外気と熱交換して放熱される。低温ヘッド２０ｂの冷熱は低温側循環回路を介して低温側蒸発器１９に伝えられ、低温側蒸発器１９との熱交換によって冷気が生成される。
【００３１】
図４は断熱箱体２の分解斜視図を示している。外箱３は金属板をコ字型に折曲して天面部３ａ及び両側面部３ｂ、３ｃが形成されている。天面部３ａには内箱４の凹部４ａに対向して開口部３ｄが形成されている。背面板５は周部が外箱３に固定され、内箱４の凹部４ａに対向して開口部５ａが形成されている。
【００３２】
外箱３には一方の側面部３ｂに沿ってアングル３０が取り付けられる。図６はアングル３０の斜視図を示している。アングル３０は金属から成り、側面視Ｌ字型に折曲して上面部３０ａ及び背面部３０ｂを有している。上面部３０ａは外箱３の側面部３ｃに接近した位置で外箱３の天面部３ａにリベット等の固定子により固定されている。これにより、アングル３０が側面部３ｂ近傍の天面部３ａで支持される。
【００３３】
図５は図４のＣ−Ｃ断面図を示している。側面部３ｂの後方の端部はＳ字状に折曲され、後方に開口する溝部３ｅが形成されている。アングル３０の背面部３０ｂは上面視Ｕ字型に折曲され、一端が背面板５とともに溝部３ｅに挟まれている。これにより、アングル３０は側面部３ｂに支持され、位置決めされる。また、アングル３０の上面部３０ａは溝部３ｅ上に載置されている。これにより、アングル３０に加わる荷重を側面部３ｂで受けることができる。
【００３４】
図４において、アングル３０の背面部３０ｂの下部と、他方の側面部３０ｃとの間には金属から成る背面補強板３３が橋架される。背面補強板３３の両端はリベット等の固定子によってアングル３０及び側面部３ｃに固定されている。背面補強板３３の両端を両側面部３ｂ、３ｃに固定してもよい。
【００３５】
アングル３０の上部には側面補強板３１の一端がリベット等の固定子によって固定されている。側面補強板３１は側面部３ｂと平行で下方が前方（冷蔵庫１の前面側）になるように斜めに配される。側面補強板３１の他端と背面補強板３３の中間との間は底面補強板３２の両端をリベット等の固定子で固定して連結される。これにより、底面補強板３２は凹部４ａの底面と平行に配される。この時、底面補強板３２は冷却装置２９を含む機械室１０の重心の真下に配置される。尚、アングル３０、側面補強板３１、底面補強板３２及び背面補強板３３は外箱３や背面板５よりも厚く（例えば、３〜４ｍｍ）、大きな剛性を有している。
【００３６】
機械室ボックス７は上方及び後方を開口した樹脂成形品から成っている。機械室ボックス７の底面を底面補強板３２に載置し、上端の周縁を天面部３ａの開口部３ｄの周囲に掛けた状態で断熱箱体２内に断熱材６が充填される。これにより、機械室ボックス７は天面部３ａに支持されるとともに底面補強板３２により支持される。
【００３７】
本実施形態によると、アングル３０が側面部３ｂに沿って外箱３に支持されるとともに、背面補強板３３がアングル３０及び側面部３ｃに支持され、側面補強板３１がアングル３０に支持される。また、底面補強板３２が側面補強板３１及び背面補強板３３に支持され、底面補強板３２上に機械室ボックス７が載置される。
【００３８】
アングル３０は側面部３ｂに沿って天面部３ａに固定されるため側面部３ｂに接近し、側面部３ｂの略鉛直方向に荷重が加わる。側面部３ｂの厚み方向に垂直な鉛直方向は剛性が大きいため、天面部３ａを含む断熱箱体２の変形が防止される。また、機械室ボックス７の底面が剛性の高い底面補強板３２で支持されるため、冷却装置２９の重量による機械室ボックス７の変形を防止できる。加えて、冷却装置２９の振動を機械室ボックス７で騒音に変換させることなく、アングル３０、側面補強板３１、背面補強板３３及び底面補強板３２から成る重くて剛直な箱体の骨格に速やかに逃がすことができる。従って、冷却装置２９の振動を伝播させずに不快な騒音を防止できる。
【００３９】
尚、アングル３０をリベット等の固定子によって天面部３ａに替えて側面部３ｂに固定してもよい。この時、アングル３０に加わる荷重が確実に側面部３ｂの鉛直方向に加わるのでより望ましい。
【００４０】
また、アングル３０の上面部３０ａの前部（冷蔵庫１の前面側）から垂下するように側面補強板３１をアングル３０に取付けてもよい。しかしながら、本実施形態のように側面補強板３１を下方が前方になるように斜めに配置すると、前後方向の強度が向上するためより望ましい。
【００４１】
また、底面補強板３２を冷却装置２９の重量を含む機械室１０の重心の真下に配置したので、底面補強板３２によって機械室１０を確実に支持してより確実に変形を防止することができる。
【００４２】
本実施形態において、冷蔵庫１について説明しているが、冷凍庫でもよい。即ち、冷却装置を有する冷却庫であれば同様の構成により同様の効果を得ることができる。また、冷却装置２９はスターリング冷凍機２０を有しているが、冷凍サイクルを運転する圧縮機によって冷媒を蒸発して冷気を生成する冷却装置でもよい。この時、重量の大きな圧縮機を機械室１０内に配した冷却庫において同様の効果を得ることができる。
【産業上の利用可能性】
【００４３】
本発明によると、断熱箱体を有する冷蔵庫や冷凍庫等の冷却庫に利用することができる。
【図面の簡単な説明】
【００４４】
【図１】本発明の実施形態の冷蔵庫を示す側面断面図
【図２】図１のＡ−Ａ断面図
【図３】本発明の実施形態の冷蔵庫の機械室を示す側面断面図
【図４】本発明の実施形態の冷蔵庫の断熱箱体の分解斜視図
【図５】図４のＣ−Ｃ断面図
【図６】本発明の実施形態の冷蔵庫のアングルを示す斜視図
【図７】従来の冷蔵庫の機械室を示す側面断面図
【図８】従来の冷蔵庫の断熱箱体の分解斜視図
【符号の説明】
【００４５】
１    冷蔵庫
２    断熱箱体
３    外箱
３ａ  天面部
３ｂ、３ｃ側面部
３ｅ  溝部
４    内箱
４ａ  凹部
５    背面板
５ａ  開口部
６    断熱材
７    機械室ボックス
８    機械室カバー
９    底面板
１０    機械室
１１    冷蔵室
１２    冷凍室
１６、１７  冷気ダクト
１８    送風機
１９    低温側凝縮器
２０    スターリング冷凍機
２１    高温側凝縮器
２２    冷却ファン
２３    高温側熱交換器
２４    低温側熱交換器
２７、２８  冷媒管
２９    冷却装置
３０    アングル
３０ａ  上面部
３０ｂ  背面部
３１    側面補強板
３２    底面補強板
３３    背面補強板
【図１】
2008185277.tif 000003
【図２】
2008185277.tif 000004
【図３】
2008185277.tif 000005
【図４】
2008185277.tif 000006
【図５】
2008185277.tif 000007
【図６】
2008185277.tif 000008
【図７】
2008185277.tif 000009
【図８】
2008185277.tif 000010